(57)【要約】【課題】メインスコアブレイク荷重及びスコアティア荷重の測定結果がばらつくことを抑制可能な開口力測定用補助装置及び開口力測定装置を提供すること。【解決手段】本発明の一実施形態である開口力測定用補助装置１は、イージーオープンエンドを固定する蓋固定部４と、蓋固定部４を水平方向に移動することによって、水平方向に配置されたメインスコアブレイク荷重を測定する際の第１位置とスコアティア荷重を測定する際の第２位置との間でイージーオープンエンドを移動する移動部３と、メインスコアブレイク荷重の測定時にイージーオープンエンドの平面に対してイージーオープンエンドのタブが所定の角度方向に起き上がるように、タブに荷重を付与する万能試験機のワイヤーＷの荷重の付与方向を変換する滑車５１と、を備えている。【選択図】図１
2017003315.tif 000002
【特許請求の範囲】
【請求項１】
万能試験機に設置してフルオープン方式のイージーオープンエンドのメインスコアブレイク荷重及びスコアティア荷重を測定するための開口力測定用補助装置であって、
前記イージーオープンエンドを固定する蓋固定部と、
前記蓋固定部を水平方向に移動することによって、水平方向に配置された前記メインスコアブレイク荷重を測定する際の第１位置と前記スコアティア荷重を測定する際の第２位置との間で前記イージーオープンエンドを移動する移動部と、
前記メインスコアブレイク荷重の測定時に前記イージーオープンエンドの平面に対して該イージーオープンエンドのタブが所定の角度方向に起き上がるように、前記タブに荷重を付与する前記万能試験機の荷重の付与方向を変換する角度変換部と、
を備えることを特徴とする開口力測定用補助装置。
【請求項２】
前記角度変換部は、前記タブに荷重を付与する前記万能試験機のワイヤーが掛け渡された滑車であることを特徴とする請求項１に記載の開口力測定用補助装置。
【請求項３】
フルオープン方式のイージーオープンエンドのメインスコアブレイク荷重及びスコアティア荷重を測定するための開口力測定装置であって、
前記イージーオープンエンドのタブに荷重を付与するワイヤーと、
前記イージーオープンエンドを固定する蓋固定部と、
前記蓋固定部を水平方向に移動することによって、水平方向に配置された前記メインスコアブレイク荷重を測定する際の第１位置と前記スコアティア荷重を測定する際の第２位置との間で前記イージーオープンエンドを移動する移動部と、
前記メインスコアブレイク荷重の測定時に前記イージーオープンエンドの平面に対して該イージーオープンエンドのタブが所定の角度方向に起き上がるように、前記ワイヤーによる荷重の付与方向を変換する角度変換部と、
前記タブに付与されている荷重を測定する測定部と、
を備えることを特徴とする開口力測定装置。
【発明の詳細な説明】
【技術分野】
【０００１】
本発明は、フルオープン方式のイージーオープンエンドの開口力を測定するための開口力測定用補助装置及び開口力測定装置に関するものである。
【背景技術】
【０００２】
タブ（プルタブとも言う。）を引っ張って開口するイージーオープンエンドには、飲料用の缶に用いられるステイオンタブ方式のものや、ツナ缶等の食用缶詰に用いられるフルオープン方式のものがある。両者は共に手で開口されるが、前者では、タブを一旦起こして開口した後、逆の動作でタブを元の状態に戻し、タブが蓋についた状態にしておく。これに対して、後者では、同様にタブを起こす動作を行うが、その後、タブを蓋と共に缶から引き剥がす動作を行う。このようにイージーオープンエンドであっても、ステイオンタブ方式又はフルオープン方式のどちらの方式であるかに応じて開口動作が異なる。
【０００３】
このような背景から、イージーオープンエンドの方式に合わせてイージーオープンエンドを開口する際に必要な荷重（以下、開口力と表記。開缶力とも言う。）を測定する測定装置が提案されている。具体的には、特許文献１，２には、ステイオンタブ方式のイージーオープンエンドの開口力を測定する開口力測定装置が記載されている。また、特許文献３，４には、フルオープン方式のイージーオープンエンドの開口力を測定する開口力測定装置が記載されている。
【０００４】
詳しくは、フルオープン方式のイージーオープンエンドでは、タブを起こす際に作用する荷重の方向と蓋を引き剥がす際に作用する荷重の方向とが異なるため、開口力を測定する際には、イージーオープンエンドの角度を途中で変更する必要がある。このため、特許文献３，４記載の開口力測定装置では、イージーオープンエンドを回転させることによって、タブを起こす際に必要な荷重と蓋を引き剥がす際に必要な荷重とを測定している。なお、以下では、タブを起こす際に必要な荷重をメインスコアブレイク荷重と表記し、蓋を引き剥がす際に必要な荷重をスコアティア荷重と表記する。
【先行技術文献】
【特許文献】
【０００５】
【特許文献１】特許第２６３４２２３号公報
【特許文献２】特許第３３８６５６１号公報
【特許文献３】特公平６−７２８２８号公報
【特許文献４】特公平５−２１４９７号公報
【発明の概要】
【発明が解決しようとする課題】
【０００６】
しかしながら、特許文献３，４記載の開口力測定装置では、イージーオープンエンドの回転に合わせてタブに対して鉛直方向から荷重を付与する鎖を水平方向に追従移動させることによって、メインスコアブレイク荷重やスコアティア荷重を測定している。また、鎖は、鎖の端部に接続されたスライドテーブルを水平方向に追従移動させることによって水平方向に追従移動される。このため、特許文献３，４記載の開口力測定装置によれば、スライドテーブルが水平方向に円滑に追従移動しないために、鎖が精度よく鉛直方向に伸びた状態にならず、換言すれば、タブに鉛直方向から荷重を精度よく印加することができず、メインスコアブレイク荷重やスコアティア荷重の測定結果がばらつくことがあった。
【０００７】
本発明は、上記課題に鑑みてなされたものであって、その目的は、メインスコアブレイク荷重及びスコアティア荷重の測定結果がばらつくことを抑制可能な開口力測定用補助装置及び開口力測定装置を提供することにある。
【課題を解決するための手段】
【０００８】
本発明に係る開口力測定用補助装置は、万能試験機に設置してフルオープン方式のイージーオープンエンドのメインスコアブレイク荷重及びスコアティア荷重を測定するための開口力測定用補助装置であって、前記イージーオープンエンドを固定する蓋固定部と、前記蓋固定部を水平方向に移動することによって、水平方向に配置された前記メインスコアブレイク荷重を測定する際の第１位置と前記スコアティア荷重を測定する際の第２位置との間で前記イージーオープンエンドを移動する移動部と、前記メインスコアブレイク荷重の測定時に前記イージーオープンエンドの平面に対して該イージーオープンエンドのタブが所定の角度方向に起き上がるように、前記タブに荷重を付与する前記万能試験機の荷重の付与方向を変換する角度変換部と、を備えることを特徴とする。
【０００９】
本発明に係る開口力測定用補助装置は、上記発明において、前記角度変換部は、前記タブに荷重を付与する前記万能試験機のワイヤーが掛け渡された滑車であることを特徴とする。
【００１０】
本発明に係る開口力測定装置は、フルオープン方式のイージーオープンエンドのメインスコアブレイク荷重及びスコアティア荷重を測定するための開口力測定装置であって、前記イージーオープンエンドのタブに荷重を付与するワイヤーと、前記イージーオープンエンドを固定する蓋固定部と、前記蓋固定部を水平方向に移動することによって、水平方向に配置された前記メインスコアブレイク荷重を測定する際の第１位置と前記スコアティア荷重を測定する際の第２位置との間で前記イージーオープンエンドを移動する移動部と、前記メインスコアブレイク荷重の測定時に前記イージーオープンエンドの平面に対して該イージーオープンエンドのタブが所定の角度方向に起き上がるように、前記ワイヤーによる荷重の付与方向を変換する角度変換部と、前記タブに付与されている荷重を測定する測定部と、を備えることを特徴とする。
【発明の効果】
【００１１】
本発明に係る開口力測定用補助装置及び開口力測定装置によれば、メインスコアブレイク荷重及びスコアティア荷重の測定結果がばらつくことを抑制できる。
【図面の簡単な説明】
【００１２】
【図１】図１は、本発明の一実施形態である開口力測定用補助装置の構成を示す模式図である。
【図２】図２は、操作盤の構成を示す模式図である。
【図３】図３は、イージーオープンエンドを固定している状態の蓋固定部の構成を示す模式図である。
【図４】図４は、イージーオープンエンドを解放している状態の蓋固定部の構成を示す模式図である。
【図５】図５は、メインスコアブレイク荷重測定時の開口力測定用補助装置の構成を示す模式図である。
【図６】図６は、スコアティア荷重測定時の開口力測定用補助装置の構成を示す模式図である。
【発明を実施するための形態】
【００１３】
以下、図１〜図６を参照して、本発明の一実施形態である開口力測定用補助装置の構成について説明する。図１は、本発明の一実施形態である開口力測定用補助装置の構成を示す模式図である。図２は、操作盤の構成を示す模式図である。図３は、イージーオープンエンドを固定している状態の蓋固定部の構成を示す模式図である。図４は、イージーオープンエンドを解放している状態の蓋固定部の構成を示す模式図である。図５は、メインスコアブレイク荷重測定時の開口力測定用補助装置の構成を示す模式図である。図６は、スコアティア荷重測定時の開口力測定用補助装置の構成を示す模式図である。なお、図中、ｘ方向及びｙ方向は水平面内において互いに直交する方向を示し、ｚ方向はｘ方向及びｙ方向に直交する鉛直方向を示している。
【００１４】
本発明の一実施形態である開口力測定用補助装置は、万能試験機を利用してメインスコアブレイク荷重及びスコアティア荷重を測定する際に用いられる装置である。ここで、万能試験機とは、引張試験、圧縮試験、曲げ試験のほか、付属装置や治具を併用して多様な試験を行えるようにした試験装置のことを意味する。万能試験機を利用してメインスコアブレイク荷重及びスコアティア荷重を測定する際には、イージーオープンエンドのタブに万能試験機のワイヤーを取り付け、万能試験機のモータを回転駆動することによってワイヤーを鉛直方向に引き上げ、万能試験機のロードセルを利用してワイヤーの荷重を測定する。
【００１５】
図１に示すように、本発明の一実施形態である開口力測定用補助装置１は、台座２、蓋移動部３、蓋固定部４、及び滑車支持部５を主な構成要素として備えている。
【００１６】
台座２は、板状部材によって構成され、万能試験機内の空間に載置される。
【００１７】
蓋移動部３は、支持部３１、スクリュー３２、モータ（Ｍ）３３、及びストッパー３４ａ，３４ｂを備えている。
【００１８】
支持部３１は、その上面に蓋固定部４が固定される直方体形状の部材であり、ｘ方向に沿ってスクリュー３２の螺合部（図示せず）を備えている。また、支持部３１は、イージーオープンエンドの位置決めをするための位置決め部材３１ａ，３１ｂを備えている。
【００１９】
スクリュー３２は、支持部３１の螺合部に挿通されたｘ方向に伸びる部材である。スクリュー３２の一端部はｘ方向を回転軸として回転可能な状態で固定され、他端部はモータ３３に接続されている。
【００２０】
モータ３３は、ｘ方向を回転軸としてスクリュー３２を回転駆動する。スクリュー３２を回転駆動することによって、支持部３１は±ｘ方向に移動する。本実施形態では、開口力測定用補助装置１に図２に示すような操作盤３５が設けられ、操作盤３５の前進ボタン３５ａが操作されると、モータ３３によって支持部３１は＋ｘ方向に移動される。また、操作盤３５の後退ボタン３５ｂが操作されると、モータ３３によって支持部３１は−ｘ方向に移動され、停止ボタン３５ｃが操作されると、支持部３１の移動動作は任意の位置にて停止される。
【００２１】
図１に戻る。ストッパー３４ａ，３４ｂは、支持部３１の±ｘ方向の移動量を規制する部材であり、台座２の上面に立設配置されている。詳しくは、ストッパー３４ａは、メインスコアブレイク荷重を測定する際のイージーオープンエンドの位置決めをするために設けられ、＋ｘ方向への移動時にストッパー３４ａに支持部３１の位置決め部材３１ａが当接することによってイージーオープンエンドの位置決めが行われる。また、ストッパー３４ｂは、スコアティア荷重を測定する際のイージーオープンエンドの位置決めのために設けられ、−ｘ方向への移動時にストッパー３４ｂに支持部３１の位置決め部材３１ｂが当接することによってイージーオープンエンドの位置決めが行われる。
【００２２】
図３及び図４に示すように、蓋固定部４は、支持部４１、固定部４２ａ，４２ｂ、及びトグルクランプ４３を備えている。
【００２３】
支持部４１は、板状の部材であり、その下面が蓋移動部３の支持部３１に固定されている。
【００２４】
固定部４２ａ，４２ｂは、切り込み部４４ａ，４４ｂにおいてイージーオープンエンドＡを挟持することによって支持部４１の上面から間隔を空けてイージーオープンエンドＡを固定する部材である。固定部４２ａは着脱可能な状態で支持部４１の＋ｘ方向端部に固定され、固定部４２ｂは着脱可能な状態でトグルクランプ４３に接続されている。イージーオープンエンドＡの大きさに合わせて、切り込み部４４ａ，４４ｂの大きさが異なる複数種類の固定部４２ａ，４２ｂが用意されている。
【００２５】
トグルクランプ４３は、固定部４３ｂを＋ｘ方向に移動させ、固定部４３ａに対して所定の締圧力を付与することによって、イージーオープンエンドＡを固定するための装置である。詳しくは、図３（ａ），（ｂ）に示すように、トグルクランプ４３のレバー４３ａが上方向に操作されると、固定部４３ｂは＋ｘ方向に移動して固定部４３ａに対して所定の締圧力を付与することによって、イージーオープンエンドＡを固定する。一方、図４（ａ），（ｂ）に示すように、トグルクランプ４３のレバー４３ａが下方向に操作されると、固定部４３ｂは−ｘ方向に移動して固定部４３ａから離間し、イージーオープンエンドＡは解放される。
【００２６】
図１に戻る。滑車支持部５は、台座２に立設され、蓋固定部４の上方に滑車５１を支持する。滑車５１は、ガイド５２に沿って±ｚ方向に移動可能な状態に配置されている。また、滑車５１は、鉛直方向に伸びる万能試験機のワイヤーＷの中心線Ｌが滑車５１の−ｘ方向側周面を通る位置に配置され、滑車５１の−ｘ方向側周面にワイヤーＷが掛け渡されている。
【００２７】
このような構成を有する開口力測定用補助装置１を利用してメインスコアブレイク荷重を測定する際には、始めに、図２に示す操作盤３５の前進ボタン３５ａを操作することによって、蓋移動部３を＋ｘ方向に移動させ、ストッパー３４ａに支持部３１の位置決め部材３１ａが当接することによって停止する。なお、ストッパー３４ａ及び滑車５１の位置は、イージーオープンエンドＡのタブに万能試験機のワイヤーＷを接続した際にイージーオープンエンドＡの平面とワイヤーＷの延伸方向とがなす角度Ｂ（図５参照）が所定角度（例えば４５度）になるように、イージーオープンエンドＡ及びタブの大きさに合わせて予め調整されている。
【００２８】
次に、トグルクランプ４３のレバー４３ａを操作することによって蓋固定部４にイージーオープンエンドＡを固定し、鉛直方向に延伸する万能試験機のワイヤーＷの延伸方向を滑車５１で所定角度変更し、ワイヤーＷの一端部をイージーオープンエンドＡのタブＴ（図３（ａ），図４（ａ）参照）に接続する。ワイヤーＷの接続方法は特に限定されることはなく、例えばワイヤーＷの一端部に鍵状部材を取り付け、鍵状部材をタブＴに引っ掛けることによってワイヤーＷを接続することができる。これにより、開口力測定用補助装置１は図５に示すような状態になる。
【００２９】
以後、ワイヤーＷを＋ｚ方向に引き上げることによってタブＴをイージーオープンエンドＡに対して９０度起こす。この時、ワイヤーＷの荷重を万能試験機のロードセルによって検出することにより、メインスコアブレイク荷重を測定できる。なお、タブＴがイージーオープンエンドＡに対して９０度起き上がった所でワイヤーＷの移動が停止するようにタブＴの大きさに合わせてワイヤーＷの移動距離（引き上げ距離）を予め設定しておくことによって、ワイヤーＷの移動を自動停止させることができる。
【００３０】
次に、開口力測定用補助装置１を利用してスコアティア荷重を測定する際には、図２に示す操作盤３５の後退ボタン３５ｂを操作することによって、蓋移動部３を−ｘ方向に移動させ、ストッパー３４ｂに支持部３１の位置決め部材３１ｂが当接することによって停止する。なお、ストッパー３４ｂ及び滑車５１の位置は、イージーオープンエンドＡのタブＴに万能試験機のワイヤーＷを接続した際にイージーオープンエンドＡの平面とワイヤーＷの延伸方向とがなす角度が９０度になるように、イージーオープンエンドＡ及びタブの大きさに合わせて予め調整されている。これにより、開口力測定用補助装置１は図６に示すような状態になる。
【００３１】
以後、ワイヤーＷを＋ｚ方向に引き上げることによってイージーオープンエンドＡを引き剥がす。この時、ワイヤーＷの荷重を万能試験機のロードセルによって検出することにより、スコアティア荷重を測定できる。なお、ワイヤーＷの荷重がゼロになったタイミングでワイヤーＷの移動動作を停止するように予め設定しておくことによって、ワイヤーＷの移動を自動停止させることができる。
【００３２】
以上の説明から明らかなように、本発明の一実施形態である開口力測定用補助装置１は、イージーオープンエンドを固定する蓋固定部４と、蓋固定部４を水平方向に移動することによって、水平方向に配置されたメインスコアブレイク荷重を測定する際の第１位置とスコアティア荷重を測定する際の第２位置との間でイージーオープンエンドを移動する移動部３と、メインスコアブレイク荷重の測定時にイージーオープンエンドの平面に対してイージーオープンエンドのタブが所定の角度方向に起き上がるように、タブに荷重を付与する万能試験機のワイヤーＷの荷重の付与方向を変換する滑車５１と、を備えている。このような構成によれば、イージーオープンエンドを回転させるのではなく、水平方向に移動させることによってメインスコアブレイク荷重及びスコアティア荷重を測定できるので、メインスコアブレイク荷重及びスコアティア荷重の測定結果がばらつくことを抑制できる。
【００３３】
また、イージーオープンエンドを回転させることによってメインスコアブレイク荷重及びスコアティア荷重を測定する場合、蓋を回転させる空間及び蓋を回転させる駆動系を設置する空間が必要となるために、万能試験機に組み込むことが困難になる。これに対して、本発明の一実施形態である開口力測定用補助装置１は、水平方向に移動させることによってメインスコアブレイク荷重及びスコアティア荷重を測定するので、万能試験機に容易に組み込むことができる。
【００３４】
以上、本発明者らによってなされた発明を適用した実施の形態について説明したが、本実施形態による本発明の開示の一部をなす記述及び図面により本発明は限定されることはない。例えば本実施形態では、万能試験機を利用して荷重の付与や計測を行うこととしたが、荷重の付与や計測をする手段を開口力測定用補助装置１に設けて開口力計測装置を構築してもよい。また、本実施形態では、滑車５１を利用してワイヤーＷによる荷重の付与方向を変更したが、ワイヤーＷをガイド部材に接触させることによってワイヤーＷよる荷重の付与方向を変更してもよい。このように、本実施形態に基づいて当業者等によりなされる他の実施の形態、実施例、及び運用技術等は全て本発明の範疇に含まれる。
【符号の説明】
【００３５】
１  開口力測定用補助装置
２  台座
３  蓋移動部
４  蓋固定部
５  滑車支持部
５１  滑車
Ａ  イージーオープンエンド
Ｔ  タブ
Ｗ  ワイヤー
【図１】
2017003315.tif 000003
【図２】
2017003315.tif 000004
【図３】
2017003315.tif 000005
【図４】
2017003315.tif 000006
【図５】
2017003315.tif 000007
【図６】
2017003315.tif 000008